(57)【要約】【課題】    本発明の実施の形態が解決しようとする課題は、推奨紙の使用を推奨することで操質の高い画像処理装置を提供することを目的とする。【解決手段】  用紙に予め印字された用紙の属性を示す識別子を変化させる変化部と、前記用紙を前記変化部に搬送する搬送部と、前記変化部の前記用紙の搬送方向上流側に位置し、前記用紙の識別子を読取る第１の読取部と、前記変化部の前記用紙の搬送方向下流側に位置し、前記用紙の識別子を読取る第２の読取部と、報知部と、前記第１の読取部の読取結果と前記第２の読取部の読取結果とを比較して、前記識別子が変化していないと判断する場合、前記報知部で報知を行うよう制御する制御部と、を有する画像処理装置。【選択図】図１
2016001245.tif 000002
【特許請求の範囲】
【請求項１】
用紙に予め印字された用紙の属性を示す識別子を変化させる変化部と、
前記用紙を前記変化部に搬送する搬送部と、
前記変化部の前記用紙の搬送方向上流側に位置し、前記用紙の識別子を読取る第１の読取部と、
前記変化部の前記用紙の搬送方向下流側に位置し、前記用紙の識別子を読取る第２の読取部と、
報知部と、
前記第１の読取部の読取結果と前記第２の読取部の読取結果とを比較して、前記識別子が変化していないと判断する場合、前記報知部で報知を行うよう制御する制御部と、
を有する画像処理装置。
【請求項２】
前記変化部は、前記識別子に熱を加え、
前記識別子は、前記変化部の熱によって変化することを特徴とする請求項１に記載の画像処理装置。
【請求項３】
前記識別子は、所定の熱を加えることによって消去可能なトナーによって前記用紙に形成されることを特徴とする請求項１又は請求項２のいずれか1項に記載の画像処理装置。
【請求項４】
前記用紙に画像を形成する画像形成部を更に有し、
前記変化部は、前記画像形成部によって前記用紙に形成された画像を定着させると共に、前記識別子を熱によって消去する定着器であることを特徴とする請求項２又は請求項３のいずれか1項に記載の画像処理装置。
【請求項５】
前記定着器の用紙の搬送方向上流側に位置し、前記用紙を給紙する給紙部を更に有し、
前記第１の読取部は前記給紙部と前記定着器の間に位置し、前記定着器に搬送される用紙の識別子の検知を行う請求項４に記載の画像処理装置。
【請求項６】
前記定着器の用紙の搬送方向下流側に位置し、定着器から排出される用紙を受ける排紙部を更に有し、
前記第２の読取部は前記排紙部と前記定着器の間に位置し、前記定着器から排出される用紙の識別子の検知を行う請求項４又は請求項５のいずれか１項に記載の画像処理装置。
【発明の詳細な説明】
【技術分野】
【０００１】
本発明の実施形態は、画像処理装置に関する。
【背景技術】
【０００２】
従来、画像処理装置で画像形成に使用される用紙には、各画像処理装置の製造者がその画像装置での使用を推奨する推奨紙というものがある。画像処理装置の通紙品質や印字品質を左右する搬送性能、定着性能、現像性能、露光性能といった性能は、この推奨紙を基準に設定されている。換言するなら、画像処理装置では、推奨紙を使用して印刷処理を行う場合において、問題が発生しないように各種の設定が行われている。そしてこの推奨紙は普通紙、厚紙といった一般的な用紙から、特定用途の特殊紙、ＯＨＰといった種別のものまで、それぞれに推奨紙は規定されている。このため、例えば厚紙などは、紙種は紙厚や紙の材質が種々あるため、特に定着機能による配熱に考慮が必要であり、推奨していない厚紙を使用すると、定着不良を起こす可能性がある。また、普通紙などでも紙に特殊なコーティング処理などを施している場合があり、通紙品質や印字品質が劣化するのみならず、定着ユニット内への用紙巻き込みやコーティング材の付着等、で機体へ影響を与える恐れがある。このため、印刷に使用する用紙が、推奨紙か非推奨紙かを判別することが求められている。
【先行技術文献】
【特許文献】
【０００３】
【特許文献１】特開２０００−４３３５３号公報
【発明の概要】
【発明が解決しようとする課題】
【０００４】
本発明の実施の形態が解決しようとする課題は、推奨紙の使用を操作者に推奨することで質の高い画像処理装置を提供することを目的とする。
【課題を解決するための手段】
【０００５】
そこで上記課題を達成するため、本発明の実施形態では次のような手段を講じている。  用紙に予め印字された用紙の属性を示す識別子を変化させる変化部と、前記用紙を前記変化部に搬送する搬送部と、前記変化部の前記用紙の搬送方向上流側に位置し、前記用紙の識別子を読取る第１の読取部と、前記変化部の前記用紙の搬送方向下流側に位置し、前記用紙の識別子を読取る第２の読取部と、報知部と、前記第１の読取部の読取結果と前記第２の読取部の読取結果とを比較して、前記識別子が変化していないと判断する場合、前記報知部で報知を行うよう制御する制御部と、を有する画像処理装置である。
【図面の簡単な説明】
【０００６】
【図１】本実施の形態における画像処理装置を概略的に示す断面図。
【図２】本実施の形態における画像処理装置のブロック図。
【図３】本実施の形態における用紙の一例を示す図。
【図４】本実施の形態における画像処理装置の検知ジョブのフローチャート。
【図５】本実施の形態における定着器と定着前マーク検知センサと定着後マーク検知センサを示す図
【発明を実施するための形態】
【０００７】
以下に本発明の実施の形態を図面を用いて説明する。なお、本実施の形態では画像処理装置としてＭＦＰ（Ｍｕｌｔｉ−Ｆｕｎｃｔｉｏｎ Ｐｅｒｉｐｈｅｒａｌｓ）を例に挙げて説明をする。
【０００８】
（第１の実施の形態）
第１の実施の形態の画像処理装置を図１乃至図５を参照して説明する。図１は、実施形態に係るＭＦＰ１００の構成例を概略的に示す断面図である。図１に示すようにＭＦＰ１００は、スキャナ部１、プリンタ部２、操作パネル４およびシステム制御部５を有する。
【０００９】
なお、実施の形態における用紙Ｐは、図３に示すように、熱によって消去可能なトナーによって識別子としてマークＭが印字されている。マークＭはシートの端部に印字され、推奨紙であることを示す。このマークＭの位置は、ＭＦＰなどで印刷可能領域の外、又は文書ソフトなどで定義されるヘッダやフッダのような画像処理装置で印刷可能な領域の端部などに、予め印刷しておくものとする。このマークＭが用紙の属性に相当する。
【００１０】
消去トナーは例えば所定の温度以上に加熱することにより消色（無色化）可能なトナーである。消去トナーは、例えばバインダー樹脂に、色材を含有させてなる。消去可能な色材は、呈色性化合物、顕色剤、消去剤を含む。呈色性化合物は、例えばロイコ染料が挙げられる。顕色剤は、例えばフェノール類が挙げられる。消去剤は、加熱されると呈色性化合物と相溶し、顕色剤と親和性を有さない物質が挙げられる。消去可能な色材は、呈色性化合物と顕色剤との相互作用により発色し、消去温度以上の加熱により呈色性化合物と顕色剤との相互作用が絶たれるため、消去する。本実施の形態においては、この消去トナーは、定着器により、消去トナー以外の通常のトナーの定着を行う際に加えられる定着温度で、その色が消色される。
【００１１】
図１に示すスキャナ部１は、原稿の画像を読み取って画像データに変換する装置である。スキャナ部１は、周知の構成を有し、読取面における原稿の画像を光学走査して画像を読み取るスキャナと、読み取った画像を画像データに変換する例えばＣＣＤラインセンサなどにより構成する。スキャナ部１は、原稿台ガラス（図示せず）に載置された原稿をスキャンするものであっても良いし、自動原稿送り装置（ＡＤＦ:Ａｕｔｏ Ｄｏｃｕｍｅｎｔ Ｆｅｅｄｅｒ）が搬送する原稿の画像を読み取るものであっても良い。スキャナ部１は、たとえば、ＭＦＰ１００の本体上側に設置する。スキャナ部１は、システム制御部５により制御される。
【００１２】
プリンタ部２は、被画像形成媒体としての用紙Ｐに画像を形成する。たとえば、プリンタ部２は、電子写真方式の画像処理装置である。プリンタ部２は、複数色（例えば、イエロー（Ｙ）、シアン（Ｃ）、マゼンタ（Ｍ）、ブラック（Ｋ）、の４色、）のトナーを用いてカラー画像を形成する。
【００１３】
図１に示す構成例において、プリンタ部２は、給紙部２０として、複数の給紙カセット２０Ａ、２０Ｂ、２０Ｃを有する。たとえば、各給紙カセット２０Ａ、２０Ｂ、２０Ｃは、ＭＦＰ１００本体の下部に着脱可能な状態で設けられる。これらの給紙カセット２０Ａ、２０Ｂ、２０Ｃは、それぞれに設定した種類（例えば、サイズ、紙質）の用紙Ｐを収納する。また、プリンタ部２は、他の給紙部として、手差しトレイ（図示せず）などを有してもよい。給紙カセット２０は、画像を印刷する用紙Ｐを供給する。
【００１４】
各給紙カセット２０Ａ、２０Ｂ、２０Ｃが収納する用紙Ｐに関する情報などの設定情報は、不揮発性メモリに記憶される。プリンタ部２は、設定情報に従って印刷処理に使用する用紙Ｐを収納する給紙カセットを選択する。プリンタ部２は、選択した給紙カセットから給紙した用紙Ｐに画像をプリントする。なお、プリンタ部２が手差しトレイを有する場合、操作パネル４から入力された手差しトレイにセットされた用紙Ｐのサイズを前述の不揮発性メモリに記憶すればよい。
【００１５】
搬送部２２は、プリンタ部２内で用紙を搬送する。搬送部２２は、ピックアップローラ２１Ａ、２１Ｂ、２１Ｃにより給紙カセット２０Ａ，２０Ｂ，２０Ｃから供給された用紙Ｐをレジストローラ２４へ搬送する。レジストローラ２４は、後述する中間転写ベルト２７から用紙に画像を転写するタイミングで、当該用紙を転写位置へ搬送する。
【００１６】
画像形成部２５、露光部２６、中間転写ベルト２７、及び、転写部２８は、画像を形成する画像形成手段として機能する。画像形成部２５は、用紙Ｐに転写する画像を形成する。図１に示す構成例において、後に詳述するが、画像形成部２５Ｙは、原稿画像が色分解されてイエローに対応する画像をイエローのトナーで形成する。画像形成部２５Ｍは、同様にマゼンタのトナーで画像を形成する。画像形成部２５Ｃは、同様にシアンのトナーで画像を形成する。画像形成部２５Ｋは、同様にブラックのトナーで画像を形成する。そして、各画像形成部２５Ｙ、２５Ｍ、２５Ｃ、２５Ｋは、各色の画像を中間転写ベルト２７上で重ね合わせて転写する。各画像形成部２５Ｙ、２５Ｍ，２５Ｃ，２５Ｋは、周知の構成、例えば、感光体ドラム、帯電チャージャ、トナーを含む現像部および除電部等からなっている。
【００１７】
露光部２６は、レーザ光により各画像形成部２５Ｙ、２５Ｍ、２５Ｃ、２５Ｋの感光体ドラム（像坦持体）に周知の方法で静電潜像を形成する。各感光体ドラムに形成する静電潜像は、各色のトナーで現像する画像である。即ち、露光部２６は、画像データに応じて制御する各画像形成部に対応したレーザ光をポリゴンミラーなどの光学系を介して感光体ドラムに照射する。露光部２６は、システム制御部５からの制御信号に応じてレーザ光の出力を制御する。露光部２６は、レーザ光の発光を制御するためのパルス幅の変調量などもシステム制御部５からの制御信号に応じて制御する。
【００１８】
前述のように、各画像形成部２５Ｙ、２５Ｍ、２５Ｃ、２５Ｋは、それぞれの感光体ドラムに形成された静電潜像を現像部による各色のトナーで現像する。各画像形成部２５Ｙ、２５Ｍ、２５Ｃ、２５Ｋは、感光体ドラム上に可視像としてのトナー像を形成する。中間転写ベルト２７は、中間転写体である。各画像形成部２５Ｙ、２５Ｍ、２５Ｃ、２５Ｋは、感光体ドラム上に形成したトナー像を中間転写ベルト２７上に転写（一次転写）する。具体的には、各画像形成部２５Ｙ、２５Ｍ、２５Ｃ、２５Ｋは、１次転写位置でトナー像に転写バイアスを与える。各画像形成部２５Ｙ、２５Ｍ、２５Ｃ、２５Ｋは、転写電流によって転写バイアスを制御する。各感光体ドラム上のトナー像は、それぞれの一次転写位置で転写バイアスにより中間転写ベルト２７に転写される。システム制御部５は、各画像形成部が１次転写処理に用いる転写電流を制御する。
【００１９】
また、各画像形成部２５Ｙ、２５Ｍ、２５Ｃ、２５Ｋは、それぞれ電位センサおよび濃度センサなどのセンサを有する。電位センサは、感光体ドラムの表面電位を検知するセンサである。各画像形成部２５Ｙ、２５Ｍ、２５Ｃ、２５Ｋにおいて、帯電チャージャは、感光体ドラムが露光部２６により露光される前に、その表面を帯電する。システム制御部５は、帯電チャージャによる帯電条件が変更できる。電位センサは、帯電チャージャにより表面が帯電された感光体ドラムにおける表面電位を検知する。濃度センサは、中間転写ベルト２７上に転写したトナー像の濃度を検知する。また、濃度センサは、感光体ドラム上に形成したトナー像の濃度を検知するものであっても良い。
【００２０】
転写部２８は、中間転写ベルト２７上のトナー像を２次転写位置において用紙に転写する。転写部２８は、前記用紙の搬送路に沿って設けられた支持ローラ２８ａおよび２次転写ローラ２８ｂを有しており、２次転写位置は、支持ローラ２８ａおよび２次転写ローラ２８ｂが中間転写ベルト２７を挟んで対向する位置である。転写部２８は、２次転写位置のベルト２７に転写電流によって制御する転写バイアスを与える。転写部２８は、転写バイアスにより中間転写ベルト２７上のトナー像を用紙に転写する。システム制御部５は、２次転写処理に用いる転写電流を制御する。
【００２１】
定着器２９（変化部に相当する）は、定着処理を行うため、用紙Ｐに熱及び圧力を与える構成を有する。図１に示す構成例では、定着器２９は、加熱部２９ａを内蔵したヒートローラ２９ｂとヒートローラ２９ｂに加熱された定着ベルトに加圧状態で接する加圧ローラ２９ｃとにより構成する。加熱部２９ａは、温度制御可能なヒータであれば良い。たとえば、加熱部２９ａは、ハロゲンランプ等のヒータランプで構成しても良いし、誘導加熱（ＩＨ）方式のヒータであっても良い。また、加熱部２９ａは、複数のヒータで構成しても良い。
【００２２】
たとえば、用紙Ｐにトナー像を定着させる定着処理を行う場合、システム制御部５は、定着器２９を定着温度に制御する。定着温度に制御された定着器２９は、転写部２８によりトナー像が転写された用紙Ｐを加圧しつつ定着温度で加熱する。これにより、定着器２９は、用紙Ｐにトナー像を定着させる。また、定着器２９は、定着処理した用紙Ｐを排紙部３０あるいは自動両面装置（Ａｕｔｏ  Ｄｕｐｌｅｘ  Ｕｎｉｔ：ＡＤＵ）３１の何れかへ搬送する。
【００２３】
定着器２９により定着処理した用紙Ｐを排紙する場合、当該用紙Ｐは、排紙部３０へ搬出される。また、定着器２９により定着処理した用紙Ｐの裏面にも画像を形成する場合、当該用紙Ｐは、一旦排紙部３０側へ搬送された後、スイッチバックしてＡＤＵ３１へ搬送される。この場合、ＡＤＵ３１は、スイッチバックにより反転させた用紙Ｐを再度レジストローラ２４の上流側に供給する。なお、用紙は給紙部２０から、排紙部３０へと搬送されるため、給紙部２０側を用紙搬送方向に対しての上流側とし、排紙部３０側を用紙搬送方向に対しての下流側とする。
【００２４】
加えて、図５に示すように、本実施の形態では、定着器２９の用紙搬送方向の上流側に定着前マーク検知センサ３５（第１の読取部に相当する）が設けられ、定着器２９の用紙搬送方向の下流側に定着後マーク検知センサ３６（第２の読取部に相当する）が設けられる。定着前マーク検知センサ３５と定着後マーク検知センサ３６は、図3に示す用紙Ｐに印字されたマークＭを検知するためのセンサである。このマークＭは消去可能なトナーで印字されている。定着前マーク検知センサ３５は、給紙部から定着器２９までの間の搬送路に設けられる。定着後マーク検知センサ３６は、定着器２９から排紙部３０までの間の搬送路に設けられる。また、両面印刷可能な画像処理装置である場合、定着後マーク検知センサ３６は、定着器２９からスイッチバックを行う分岐点までの間の搬送路に設けてもよい。本実施の形態では、定着前マーク検知センサ３５は給紙部から転写部２８との間の搬送路に設けられ、定着後マーク検知センサ３６は、定着器２９からスイッチバックを行う分岐点までの間の搬送路に設けられている。定着前マーク検知センサ３５と定着後マーク検知センサ３６は共に光学センサである。定着前マーク検知センサ３５は発光部３５ａと受光部３５ｂとを例えば同一の筐体内に有する。発光部３５ａから発した光は用紙Ｐの表面で反射され、受光部３５ｂでその反射光を受ける。同様に、定着後マーク検知センサ３６は発光部３６ａと受光部３６ｂとを有する。そして、発光部３６ａから発した光は受光部３６ｂでその反射光を受ける。
【００２５】
図１に示す操作パネル４は、ユーザインターフェースである。操作パネル４は、各種のボタンとタッチパネル４ｂを具備する表示部４ａ（報知部に相当する）とを有する。システム制御部５は、操作パネル４の表示部４ａに表示する内容を制御する。また、操作パネル４は、表示部４ａのタッチパネル４ｂあるいはボタンに入力した情報をシステム制御部５へ出力する。この操作パネル４は、モード選択キーを有している。このモード選択キーは部分消去モードキーを有する。部分消去モードキーが押下されると、部分消去モードに移行する。具体的には、部分消去モードが選択された後に、スキャナ部１にて用紙Ｐを読取ってコピーを行う場合、読取った用紙Ｐに重要情報が含まれるとシステム制御部５が判断すると、重要情報を消去トナーを用いて印字する。
【００２６】
次に、ＭＦＰ１００の制御系の構成について説明する。図２は本実施の形態のＭＦＰ１００のブロック図である。システムバス５２を介して、ＣＰＵ（Ｃｅｎｔｒａｌ  Ｐｒｏｃｅｓｓｉｎｇ  Ｕｎｉｔ）５１、ＲＯＭ（Ｒｅａｄ  Ｏｎｌｙ  Ｍｅｍｏｒｙ）５３、ＲＡＭ（Ｒａｎｄｏｍ  Ａｃｃｅｓｓ  Ｍｅｍｏｒｙ）５４、ＨＤＤ（Ｈａｒｄ  Ｄｉｓｋ  Ｄｒｉｖｅ）５５、外部Ｉ／Ｆ（Ｉｎｔｅｒｆａｃｅ）５６、プリンタ部２、操作パネル４、定着前マーク検知センサ３５、定着後マーク検知センサ３６が接続される。また、ＣＰＵ５１とＲＯＭ５３とＲＡＭ５４とはシステム制御部５を構成する。
【００２７】
ＲＯＭ５３には、ＣＰＵ５１を動作させるためのプログラムや閾値を予め記憶する。また。用紙ＰにマークＭが記載されているかの判定に使用するための閾値を記憶している。
【００２８】
ＲＡＭ５４には、プログラムによるデータ処理の作業領域となるワークエリアなどの様々なメモリエリアを動的に形成する。また定着前マーク検知センサ３５と定着後マーク検知センサ３６がそれぞれ、シートに記載された有色のマークＭを読取ったか否かを管理するフラグエリアを設ける。具体的には、定着前フラグエリアと定着後フラグエリアを設ける。定着前フラグエリアは、定着前マーク検知センサ３５が用紙Ｐに記載されたマークＭを読取ったら１を記憶する。定着後フラグエリアは、定着後マーク検知センサ３６が用紙Ｐに記載されたマークＭを読取らなかったら１を記憶する。双方ともデフォルトの値は０であるとし、１枚印刷が完了するごとに０にリセットされる。
【００２９】
ＨＤＤ５５は、大容量の記憶装置である。ＨＤＤ５５は、例えば、ＣＰＵ５１による所定の制御を実現するためのＯＳ（Ｏｐｅｒａｔｉｎｇ Ｓｙｓｔｅｍ）を記憶すると共に、スキャナ部１で読取った画像を１次保存する領域などがある。
【００３０】
外部Ｉ／Ｆ５６は、外部装置、例えばクライアント端末（ＰＣ）と通信するためのインターフェースである。たとえば、外部Ｉ／Ｆ５６は、外部装置からのプリント要求に応じたプリントデータを受信する。外部Ｉ／Ｆ５６は、外部装置とデータ通信を行うインターフェースであれば良く、たとえば、外部装置にローカルに接続する物（ＵＳＢメモリ等）であっても良いし、ネットワークを介して通信するためのネットワークインターフェースであっても良い。
【００３１】
スキャナ部１とプリンタ部２と操作パネル４とは前述したので省略する。
【００３２】
定着前マーク検知センサ３５と定着後マーク検知センサ３６は、前述したように、用紙ＰのマークＭを検知するための光学センサである。そして、定着前マーク検知センサ３５の受光部３５ｂが計測した反射光の値をシステム制御部５へ送信する。また、定着後マーク検知センサ３６は、受光部３６ｂで計測した反射光の値を制御部５に送る。システム制御部５は送られてきた値とＲＯＭ５３に記憶する閾値の値を比較して、マーク検知センサ３５あるいは３６が用紙ＰのマークＭを読み取ったかどうか、即ち、用紙ＰにマークＭがあるか否かの判定を行う。なお、推奨紙であれば用紙Ｐに記載されたマークＭは画像を定着する熱によって消えている（無色化している）はずである。このため、推奨紙であるなら、システム制御部５が定着後マーク検知センサ３６から受け取る値を判定すると、システム制御部５はマークＭを検知できない、即ち、用紙Ｐにマークがないという判定結果となる。
【００３３】
以上のような構成を備えるＭＦＰ１００において、予め設定されているプログラムに基づいて、ＭＦＰ１００は図４に示す検知ジョブを実行する。
【００３４】
まずは、ＭＦＰ１００が行う検知ジョブの説明にあたり、給紙部２０には用紙Ｐが既に収容されているものとする。そして、操作者がスキャナ部１の原稿台ガラスにコピーを行う原稿を置き、操作パネル４を操作してコピージョブの所定の印刷情報（コピーする枚数、用紙Ｐサイズ、濃度情報など）を入力する。入力された情報は、ＲＡＭ５４の所定の領域に記憶する。そしてスタートボタンを押下し、印刷処理を開始する。印刷は全て片面であるとする。なお、以下の説明では、スキャナ部１による原稿の読取、露光部２６および画像形成部２５による画像の形成動作については言及しないが、前述の各部の動作により転写ベルト２７にトナー画像が一次転写されるものとする。
【００３５】
システム制御部５は、給紙部２０の入力されたサイズの用紙Ｐを収容しているカセット、例えば、２０Ａに対応するピックアップローラ２１Ａを動作させ、給紙カセット２０Ａに収容されている用紙Ｐの搬送を開始する（ＡＣＴ１）。
【００３６】
搬送を開始すると同時に、システム制御部５は、ＲＡＭ５４の定着後フラグエリアと定着前フラグエリアにそれぞれ０が記憶されているかの判定を行う（ＡＣＴ２）。
【００３７】
そして、ＲＡＭ５４の定着後フラグエリアと定着前フラグエリアにそれぞれ０が記憶されてないとシステム制御部５が判定すると（ＡＣＴ２のＮｏ）、システム制御部５は、搬送部２２を制御して用紙Ｐを搬送し、転写部２８にて二次転写を行った後、定着器２９にて画像の定着を行う。（ＡＣＴ１２）なお、用紙ＰにマークＭが存在する場合、この定着器２９にて画像の定着を行うと同時に、消去トナーで印字されたマークＭは消去される。
【００３８】
その後、システム制御部５は搬送部２２を制御して排紙部３０へ用紙Ｐを搬送する。そして、全てのジョブが終了したか、換言するならＲＡＭ５４に記憶するコピーする枚数を全て印刷し終えたかをシステム制御部５は判定する（ＡＣＴ１１）。
【００３９】
一方、システム制御部５が、ＲＡＭ５４の定着後フラグエリアと定着前フラグエリアにそれぞれ０が記憶されていると判定すると（ＡＣＴ２のＹｅｓ）、システム制御部５は定着前マーク検知センサ３５を用いて搬送されている用紙ＰにマークＭが存在するかの検知を行う（ＡＣＴ３）。
【００４０】
定着前マーク検知センサ３５から送信された情報をもとに、システム制御部５が用紙ＰにマークＭがあることを判断すると（ＡＣＴ３のＹｅｓ）、システム制御部５は搬送部２２を制御して用紙Ｐを搬送し、定着器２９にて定着する（ＡＣＴ６）。なお、用紙ＰにマークＭが存在する場合、この定着器２９にて画像の定着を行うと同時に、消去トナーで印字されたマークＭは消去される。
【００４１】
一方、定着前マーク検知センサ３５から送信された情報をもとに、システム制御部５が用紙ＰにマークＭがないと判定すると（ＡＣＴ３のＮｏ）、システム制御部５はＲＡＭ５４の定着前フラグエリアに１の値を記憶する（ＡＣＴ４）。
【００４２】
そして操作パネル４の表示部４ａに、システム制御部５は使用している用紙Ｐが推奨紙でない旨を表示する（ＡＣＴ５）。
【００４３】
その後、システム制御部５は搬送部２２を制御して用紙Ｐを搬送し、転写部２８にて二次転写を行った後、定着器２９にて画像の定着を行う（ＡＣＴ６）。
【００４４】
定着器２９にて画像の定着が行われた後、システム制御部５はＲＡＭ５４の定着前フラグエリアに０が記憶されているかの判定を行う（ＡＣＴ７）。定着前フラグエリアに０が記憶されていないとシステム制御部５が判定すると（ＡＣＴ７のＮｏ）、システム制御部５は搬送部２２を制御して排紙部３０へ用紙Ｐを搬送する。そして、全てのジョブが終了したか、換言するならＲＡＭ５４に記憶するコピーする枚数を全て印刷し終えたかをシステム制御部５は判定する。
【００４５】
一方、定着前フラグエリアに０が記憶されているとシステム制御部５が判定すると（ＡＣＴ７のＹｅｓ）、システム制御部５は定着後マーク検知センサ３６を用いて搬送されている用紙ＰにマークＭが存在するかの検知を行う（ＡＣＴ８）。
【００４６】
定着後マーク検知センサ３６から送信された情報をもとに、システム制御部５が用紙ＰにマークＭがないと判定すると（ＡＣＴ８のＮｏ）、全てのジョブが終了したか、換言するならＲＡＭ５４に記憶するコピーする枚数を全て印刷し終えたかをシステム制御部５は判定する（ＡＣＴ１１）。
【００４７】
一方、定着後マーク検知センサ３６から送信された情報をもとに、システム制御部５が用紙ＰにマークＭがあることを判断すると（ＡＣＴ８のＹｅｓ）、システム制御部５はＲＡＭ５４の定着後フラグエリアに１の値を記憶する（ＡＣＴ９）。
【００４８】
そして操作パネル４の表示部４ａに、システム制御部５は使用している用紙Ｐが推奨紙でない旨を表示する（ＡＣＴ１０）。
【００４９】
そして、システム制御部５は搬送部２２を制御して排紙部３０へ用紙Ｐを搬送する。続いて、全てのジョブが終了したか、換言するならＲＡＭ５４に記憶するコピーする枚数を全て印刷し終えたかをシステム制御部５は判定する（ＡＣＴ１１）
【００５０】
システム制御部５は全てのジョブが完了していないと判定すると（ＡＣＴ１１のＮｏ）、再びＡＣＴ１の処理を行う。
【００５１】
一方、システム制御部５は全てのジョブが完了したと判定すると、操作パネル４の表示部４ａの表示を消し、定着前フラグエリアと定着後フラグエリアやＲＡＭ５４の所定の値をデフォルト値（０）にリセットする、などのリセット処理を行い（ＡＣＴ１２）、検知ジョブを終了する。
【００５２】
以上によって、用紙Ｐに予め消去可能なトナーでマークＭを印字しておき、このマークＭの状態の変化によって、推奨紙であるか否かを判断する。これによって、非推奨紙が使用された場合、表示器に警告を発することが可能となる。また、消去可能なトナーの消去前と消去後を検知することにより、消去不可能なトナーでマークＭを偽装して推奨紙を装うことを防止できる。特にマークＭを通常のＭＦＰの印刷領域の外に設けておけば、偽造防止の効果は向上する。
また、本実施の形態のような推奨紙は、印刷後にマークＭが消去されるため、操作者に不快感を与えることはない。
【００５３】
本発明の実施の形態では、消去可能なトナーを用いたが、これに限定されるものではない。例えば、熱によって色や濃度が変わるトナーを用いてもよい。そして、定着前マーク検知センサ３５と定着後マーク検知センサ３６にて、このトナーの状態の変化を読取って、推奨紙か否かの判断を行うことも当然に考えられる。
【００５４】
本発明の実施の形態では、画像処理装置の一例としてＭＦＰを例に挙げたが、これに限定されるものではない。例えば特開２０１０−１１３３３７号公報に記載にあるような、熱によって消色可能なトナーを消去する消色装置も含まれる。この場合、用紙に熱を与えてトナーを消色する消色部が検知部に相当する。
【００５５】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００５６】
１  スキャナ
２  プリンタ
４  操作パネル
５  システム制御部
３５  定着前マーク検知センサ
３６  定着後マーク検知センサ
【図１】
2016001245.tif 000003
【図２】
2016001245.tif 000004
【図３】
2016001245.tif 000005
【図４】
2016001245.tif 000006
【図５】
2016001245.tif 000007